(57)【要約】
【課題】  無炎の状態でアロマオイル分子を気化させてセラミック芯頭に点火してアロマオイルを燃焼させる時に発生しうる爆発を防止した電気式芳香装置を提供すること。
【解決手段】  電気式芳香装置は上蓋、底蓋、セラミック芯頭固定構造及び電熱装置を具え、セラミック芯頭固定構造及び電熱装置が上蓋と底蓋で組成されたケース内に位置し、電気式芳香装置はセラミック芯頭固定構造によりセラミック芯頭に固定され電熱装置は制御基板に接続され、電熱装置及び制御基板がセラミック芯頭を１１００℃に加熱してセラミック芯頭にしみこんだアロマオイル分子を気化させ芳香を発生し、加熱完成後に電力供給を自動切断する。
【選択図】        図２
0003101028.tif 000002
【実用新案登録請求の範囲】
【請求項１】
上蓋、底蓋、セラミック芯頭固定構造及び電熱装置を具え、セラミック芯頭固定構造及び電熱装置が該上蓋と該底蓋で組成されたケース内に位置する電気式芳香装置において、  該電気式芳香装置がバネクリップの形式を呈するセラミック芯頭固定構造によりセラミック芯頭に固定され、該電熱装置が弾力拡張環の形式とされ、該電熱装置に環状シリコン熱伝導材料で形成された拡張環が設けられ、且つ該電熱装置が制御基板に接続され、該電気式芳香装置がセラミック芯頭固定構造を利用してセラミック芯頭に固定され、並びに環状シリコン熱伝導体がセラミック芯頭を包囲し、該制御基板が環状シリコン熱伝導体に電流を導通させて高温を発生させてセラミック芯頭を加熱させることを特徴とする、電気式芳香装置。
【請求項２】
請求項１記載の電気式芳香装置において、制御基板に計時制御を行なう集積回路とリレーが設けられ、環状シリコン熱伝導体のセラミック芯頭に対する加熱時間を制御することを特徴とする、電気式芳香装置。
【請求項３】
請求項１記載の電気式芳香装置において、制御基板に発光ダイオードが設けられて使用状態を表示することを特徴とする、電気式芳香装置。
【考案の詳細な説明】
【技術分野】
【０００１】
本考案は一種の電気式芳香装置に係り、特に無炎の状態でアロマオイル分子を気化させてセラミック芯頭に点火してアロマオイルを燃焼させる時に発生しうる爆発を防止した電気式芳香装置に関する。
【背景技術】
【０００２】
いわゆるアロマオイルは揮発性を具えた高濃度の芳香物質であり、各種の化学或いは物理方法で、植物の根、茎、葉、種子或いは花朶より抽出される。このアロマオイルは仕事のストレスを和らげたり、眠りを誘ったり、頭を覚醒させて集中力を増す等の効果を有している。
【０００３】
アロマオイルは水に溶けにくい物質で、アルコール類に溶け、このためイソプロピルアルコールが溶剤として選択されることが多い。図１に示されるように、一般の使用方式はいずれもアロマオイルとイソプロピルアルコールの混合溶液ｃが瓶ｂ中に置かれ、瓶ｂ中にランプ芯ａが設けられ、該ランプ芯ａの一部が混合溶液ｃに漬けられ、並びに瓶ｂの瓶口にセラミック芯頭ｄが設けられ、このセラミック芯頭ｄとランプ芯ａの一端が接続され、瓶ｂ内の混合溶液ｃがランプ芯ａの毛細現象により上昇してセラミック芯頭ｄに至り、このセラミック芯頭ｄは多孔セラミック材料で製造され、その各顆粒間に空隙があり、良好な流体浸透性と吸着性を具え、このためセラミック芯頭ｄの空隙に混合溶液ｃが充満し、その後、瓶ｂの上のセラミック芯頭ｄに点火されることで、混合溶液ｃ内のイソプロピルアルコールが燃焼し、火焔がセラミック芯頭ｄを燃焼させた後に、さらに火焔が消され、高温のセラミック芯頭ｄによりアロマオイルが空気中に蒸発する。
【０００４】
しかし、セラミック芯頭ｄ内部には燃焼に十分な空間がなく、ゆえに瓶ｂ内外の圧力のバランスが崩れ、爆発事故が起こることがある。並びにアロマオイル分子は燃焼せず、燃焼したイソプロピルアルコールの蒸気がそれを拡散させるが、蒸気を発生させるための十分な空間がないため、アロマテラピーの効果に影響が生じた。
【考案の開示】
【考案が解決しようとする課題】
【０００５】
本考案の主要な目的は、無炎の状態下でアロマオイル分子を気化させることができ、セラミック芯頭に火焔で点火燃焼させることにより発生する恐れのある爆発の危険を防止できる電気式芳香装置を提供することにある。
【課題を解決するための手段】
【０００６】
請求項１の考案は、上蓋、底蓋、セラミック芯頭固定構造及び電熱装置を具え、セラミック芯頭固定構造及び電熱装置が該上蓋と該底蓋で組成されたケース内に位置する電気式芳香装置において、
該電気式芳香装置がバネクリップの形式を呈するセラミック芯頭固定構造によりセラミック芯頭に固定され、該電熱装置が弾力拡張環の形式とされ、該電熱装置に環状シリコン熱伝導材料で形成された拡張環が設けられ、且つ該電熱装置が制御基板に接続され、該電気式芳香装置がセラミック芯頭固定構造を利用してセラミック芯頭に固定され、並びに環状シリコン熱伝導体がセラミック芯頭を包囲し、該制御基板が環状シリコン熱伝導体に電流を導通させて高温を発生させてセラミック芯頭を加熱させることを特徴とする、電気式芳香装置としている。
請求項２の考案は、請求項１記載の電気式芳香装置において、制御基板に計時制御を行なう集積回路とリレーが設けられ、環状シリコン熱伝導体のセラミック芯頭に対する加熱時間を制御することを特徴とする、電気式芳香装置としている。
請求項３の考案は、請求項１記載の電気式芳香装置において、制御基板に発光ダイオードが設けられて使用状態を表示することを特徴とする、電気式芳香装置としている。
【考案の効果】
【０００７】
本考案の電気式芳香装置は、無炎の状態でアロマオイル分子を気化させてセラミック芯頭に点火してアロマオイルを燃焼させる時に発生しうる爆発を防止する。
【考案を実施するための最良の形態】
【０００８】
本考案の電気式芳香装置は上蓋、底蓋、セラミック芯頭固定構造及び電熱装置を具え、セラミック芯頭固定構造及び電熱装置が上蓋と底蓋で組成されたケース内に位置し、電気式芳香装置はセラミック芯頭固定構造によりセラミック芯頭に固定され電熱装置は制御基板に接続され、電熱装置及び制御基板がセラミック芯頭を１１００℃に加熱してセラミック芯頭にしみこんだアロマオイル分子を気化させ芳香を発生し、加熱完成後に電力供給を自動切断する。
【実施例１】
【０００９】
図２、３に示されるように、本考案の電気式芳香装置は、上蓋１、底蓋２、セラミック芯頭固定構造３及び電熱装置４を具え、セラミック芯頭固定構造３及び電熱装置４が上蓋１と底蓋２で組成されたケース内に位置し、上蓋１の上面及び側面に複数の穿孔１３、１４が設けられ、該底蓋２の中央にセラミック芯頭に対応する円孔２２が設けられ、且つその両側に複数の通気柵２１が設けられている。本考案の特徴は以下のとおりである。
【００１０】
該セラミック芯頭固定構造３はバネクリップ形式とされ、該セラミック芯頭固定構造３は、位置決め板３０、左挟持具３３、右挟持具３４、左位置決め柱３１、右位置決め柱３２、左バネ３５及び右バネ３６で組成されている。該左挟持具３３と該右挟持具３４の頭端の一側は半月形切欠きを呈し、並びに位置決め板３０の中央円孔３９に対応している。その取り付け方式は、まず左位置決め柱３１及び右位置決め柱３２を下から上にそれぞれ左バネ３５及び右バネ３６に通し、その後、該左位置決め柱３１及び右位置決め柱３２を左挟持具３３及び右挟持具３４の穿孔に通し、且つ該左挟持具３３及び右挟持具３４は半月形切欠きの一側が対向するよう設置し、その後、左位置決め柱３１及び右位置決め柱３２を位置決め板３０の底層穿孔に通し、並びに左バネ３５及び右バネ３６の一端を切欠き３７、３８に係止させ、左バネ３５及び右バネ３６のもう一端を左挟持具３３と右挟持具３４の末端垂直部分に係止させる。
【００１１】
該電気式芳香装置中の電熱装置４は弾力拡張環の形式を呈し、該電熱装置４は環状シリコン熱伝導体４１、左スイングアーム４２、右スイングアーム４３、左バネ４４、右バネ４５で組成されている。該左スイングアーム４２及び右スイングアーム４３は導電性の金属材料で形成され、その取り付け方式は、該左スイングアーム４２及び右スイングアーム４３を位置決め板３０の中央中間層部分に通し、さらに上述の左位置決め柱３１及び右位置決め柱３２を下から上に左バネ４４及び右バネ４５を通し、その後、左位置決め柱３１及び右位置決め柱３２をそれぞれ左スイングアーム４２及び右スイングアーム４３の穿孔及びワッシャ４６、４７に通し、並びに左位置決め柱３１及び右位置決め柱３２をそれぞれ位置決め板３０の穿孔上層に固定し、その後、左バネ４４及び右バネ４５の一端を切欠き３７、３８に係止させ、左バネ４４及び右バネ４５のもう一端を左スイングアーム４２及び右スイングアーム４３の末端垂直部分に係止させ、さらに該位置決め板３０の上面にストッパ片７を固定する。左スイングアーム４２の上端は環状シリコン熱伝導体４１の一端に接続し、右スイングアーム４３の上端は環状シリコン熱伝導体４１のもう一端に接続し、並びに該環状シリコン熱伝導体４１で環状に中央円孔３９の外周を囲む。該左スイングアーム４２及び右スイングアーム４３の末端は二本の制御基板５より延伸された電線に接続され、該制御基板５には電源選択スイッチ５１、起動スイッチ５２、直流電源ソケット５３、交流電源ソケット５４、赤色発光ダイオード５５、緑色発光ダイオード５６、リレー５７及び集積回路５８等の電子装置が設けられている。
【００１２】
上述のセラミック芯頭固定構造３、電熱装置４及びストッパ片７の組合せ完成後に、それをネジで位置決め板３０及びストッパ片７の周囲に設けられた穿孔に組み合わせ、位置決め板３０、ストッパ片７と共にセラミック芯頭固定構造３及び電熱装置４を上蓋１内の位置決めネジ孔に固定し、さらに制御基板５を上蓋１の一側に設置し、且つ電源選択スイッチ５１、起動スイッチ５２、直流電源ソケット５３、交流電源ソケット５４、赤色発光ダイオード５５及び緑色発光ダイオード５６を上蓋１の各開孔１６部分に配置し、その後、左スイングアーム４２、右スイングアーム４３、左挟持具３３、右挟持具３４の末端に可動ボタン１１、１２を取り付け、該可動ボタン１１、１２を連接條１５で連接し、その後、底蓋２を上蓋１の底部に取り付けて組立を完成する。
【００１３】
図２、３、４に示されるように、該電気式芳香装置の使用方式は、まず手指で可動ボタン１１、１２を押して、左挟持具３３、右挟持具３４、左スイングアーム４２、右スイングアーム４３を外向きに開き、環状シリコン熱伝導体４１も周囲に拡張し、該環状シリコン熱伝導体４１の拡張後の大きさはセラミック芯頭を収容できるものとされ、その後、セラミック芯頭を下から上に円孔２２中に挿入し、さらに可動ボタン１１、１２を開放してセラミック芯頭固定構造３の左挟持具３３及び右挟持具３４で挟持固定し、並びに環状シリコン熱伝導体４１の環状構造で緊縮包囲する。該電気式芳香装置は電源選択スイッチ５１で直流電源又は交流電源の使用を選択でき、交流電源を使用する場合は、その電源を制御基板５に設けられた整流回路で直流に変換し、直流電源を集積回路５８の電源入力端に導入する。このとき該集積回路５８は待機状態にあり、且つ該集積回路５８はある電圧を出力して緑色発光ダイオード５６を発光開始させ、これにより使用者に装置を使用可能であることを告知する。使用者が起動スイッチ５２を押すと、電圧が発生して起動スイッチ５２が導通して電源を集積回路５８に導入し、該集積回路５８が電圧入力を検出し、内部回路が計時開始し並びにある電圧をリレー５７の制御端に入力し、その接点端を導通させ、並びに赤色発光ダイオード５５を発光開始させ、こうして環状シリコン熱伝導体４１と入力電源が電流回路を形成し、この電流が環状シリコン熱伝導体４１を四秒以内に常温から摂氏１１００℃に加熱し、セラミック芯頭に対する加熱を開始する。集積回路５８が一定時間を計時した後、リレー５７の制御端への電圧の入力が切断され、こうして環状シリコン熱伝導体４１への電流供給が停止され、セラミック芯頭に対する加熱が停止し、並びに赤色発光ダイオード５５及び緑色発光ダイオード５６が発光停止し、これにより加熱過程の完成を表示し、セラミック芯頭内のアロマオイル分子が高温により気化し、使用者が直流電源ソケット５３或いは交流電源ソケット５４に接続された電力供給手段を取り外すことができる。
【００１４】
上述の電気式芳香装置は電力を利用して環状シリコン熱伝導体４１に高温を発生させることによりセラミック芯頭を加熱し、該環状シリコン熱伝導体４１を四秒以内に常温から摂氏１１００℃に加熱し、温度の急激な上昇により、加熱過程で火焔或いは煙を発生させず、且つ環状シリコン熱伝導体４１がセラミック芯頭の周囲を包囲しており、点火使用による危険性を防止でき、また均一にセラミック芯頭周囲に分布するために良好な加熱効果を達成し、それが高温でセラミック芯頭内の全てのアロマオイル分子を気化させるため、有効にセラミック芯頭中の細小な空隙が詰まるのを防止できる。
【００１５】
総合すると、本考案の電気式芳香装置は、点火による使用の危険性を防止でき、並びにセラミック芯頭中の細小な孔が詰まるのを防止でき、ゆえに本考案は実用性と進歩性を有する。
【図面の簡単な説明】
【００１６】
【図１】周知のセラミック芯頭の実施例図である。
【図２】本考案の分解斜視図である。
【図３】本考案の内部の制御基板の電気回路図である。
【図４】本考案の実施例図である。
【符号の説明】
【００１７】
１  上蓋                              ２  底蓋
３  セラミック芯頭固定構造            ４  電熱装置
５  制御基板                          ７  ストッパ片
１１、１２  可動ボタン                １３、１４  穿孔
１５  連接條                          １６  開孔
２１  通気柵                          ２２  円孔
３０  位置決め板                      ３１  左位置決め柱
３２  右位置決め柱                    ３３  左挟持具
３４  右挟持具                        ３５  左バネ
３６  右バネ                          ３７、３８  切欠き
３９  中央円孔                        ４１  環状シリコン熱伝導体
４２  左スイングアーム                ４３  右スイングアーム
４４  左バネ                          ４５  右バネ
４６、４７  ワッシャ                  ５１  電源選択スイッチ
５２  起動スイッチ                    ５３  直流電源ソケット
５４  交流電源ソケット                ５５  赤色発光ダイオード
５６  緑色発光ダイオード              ５７  リレー
５８  集積回路
【図１】
0003101028.tif 000003
【図２】
0003101028.tif 000004
【図３】
0003101028.tif 000005
【図４】
0003101028.tif 000006